(57)【要約】  【課題】各レンズ群を光軸方向に移動させるための複数の筒部材の構成を工夫することによって沈胴時における光軸方向の全体寸法を小さくし得るようにしたズームレンズを備えている沈胴式のカメラ用レンズ鏡胴を提供すること。  【解決手段】第１回転筒６はモータによって回転させられると、第１キー筒８と共に光軸方向へも移動する。第２回転筒９は第１回転筒６によって回転させられると、第２キー筒１１と共に光軸方向へも移動する。第１回転筒６には、第２レンズ群２４を取り付けた枠体部材１３のフォロアーピン２３ａが係合していて、枠体部材１３を光軸方向へ移動させるためのカム溝６ｄが形成されている。第２回転筒９には、第１レンズ群１８を間接的に取り付けた直進筒１２のフォロアーピン１２ａが係合していて、直進筒１２を光軸方向へ移動させるためのカム溝９ｂが形成されている。【選択図】  図２
2009244613.tif 000002
【特許請求の範囲】
【請求項１】
複数のカム溝を有していてカメラ本体に一体化される第１筒部材と、複数のカム溝と前記第１筒部材の複数のカム溝に係合させた複数のフォロアーピンとを有していて前記第１筒部材の内側に配置されており駆動手段によって回転させられたとき光軸方向へも移動させられる第２筒部材と、複数のカム溝を有していて前記第２筒部材の内側に配置されており前記第２筒部材の回転によって光軸方向へだけ移動させられる第３筒部材と、複数のカム溝と前記第３筒部材の複数のカム溝に係合させた複数のフォロアーピンとを有していて前記第３筒部材の内側に配置されており前記第２筒部材によって回転させられとき光軸方向へも移動させられる第４筒部材と、前記第４筒部材の内側に配置されていて前記第４筒部材の回転によって光軸方向へだけ移動させられる第５筒部材と、第１レンズ群を取り付けていると共に前記第４筒部材の複数のカム溝に係合させた複数のフォロアーピンを有していて前記第５筒部材の内側に配置されており前記第４筒部材の回転によって光軸方向へだけ移動させられる第６筒部材と、第２レンズ群を取り付けていると共に前記第２筒部材の複数のカム溝に係合させた複数のフォロアーピンを有していて前記第２筒部材の回転によって光軸方向へだけ移動させられる枠体部材と、を備えていることを特徴とする沈胴式のカメラ用レンズ鏡胴。
【請求項２】
複数のカム溝と、複数のキー溝とを有していて、カメラ本体に対して一体化される第１筒部材と、
複数のカム溝と、複数のキー溝と、前記第１筒部材の複数のカム溝に係合させた複数のフォロアーピンとを有していて、前記第１筒部材の内側に配置されており、駆動手段によって回転させられたとき光軸方向へも移動させられる第２筒部材と、
複数のカム溝と、複数の第１キー溝と、複数の第２キー溝と、前記第１筒部材のキー溝に係合させた複数のキーとを有していて、前記第２筒部材の内側に配置されており、前記第２筒部材の回転によって光軸方向へだけ移動させられる第３筒部材と、
複数のカム溝と、前記第３筒部材の複数のカム溝と前記第２筒部材の複数のキー溝の両方に係合させた複数のフォロアーピンとを有していて、前記第３筒部材の内側に配置されており、前記第２筒部材によって回転させられとき光軸方向へも移動させられる第４筒部材と、
複数のキー溝と、前記第３筒部材の複数の第１キーに係合させた複数のキーとを有していて、前記第４筒部材の内側に配置されており、前記第４筒部材の回転によって光軸方向へだけ移動させられる第５筒部材と、
第１レンズ群を取り付けていると共に、前記第５筒部材の複数のキー溝と前記第４筒部材の複数のカム溝の両方に係合させた複数のフォロアーピンを有していて、前記第５筒部材の内側に配置されており、前記第４筒部材の回転によって光軸方向へだけ移動させられる第６筒部材と、
第２レンズ群を取り付けていると共に、前記第３筒部材の複数の第２キー溝と前記第２筒部材の複数のカム溝の両方に係合させた複数のフォロアーピンを有していて、前記第３筒部材の内側に配置されており、前記第２筒部材の回転によって光軸方向へだけ移動させられる枠体部材と、
を備えていることを特徴とする沈胴式のカメラ用レンズ鏡胴。
【請求項３】
前記第４筒部材は、相互に一体的に組み付けられた外筒部材と内筒部材とで構成されていて、該外筒部材は、前記第３筒部材の複数のカム溝と前記第２筒部材の複数のキー溝との両方に係合させる前記複数のフォロアーピンを有していて、該内筒部材は、前記第６筒部材の前記複数のフォロアーピンが係合する前記複数のカム溝を有しており、該内筒部材の複数のカム溝は、光軸と直交する内壁面を有する貫通溝として形成され、前記第６筒部材の前記複数のフォロアーピンは、円柱形をしていることを特徴とする請求項２に記載の沈胴式のカメラ用レンズ鏡胴。
【請求項４】
前記第６筒部材と前記枠体部材とは、少なくとも一つのばね部材によって、光軸上で相反する方向へ付勢されていることを特徴とする請求項１乃至３のいずれかに記載の沈胴式のカメラ用レンズ鏡胴。
【請求項５】
前記第６筒部材には、モータが取り付けられており、前記第１レンズ群は、該モータによって、前記第６筒部材に対して光軸方向へ移動可能に取り付けられていることを特徴とする請求項１乃至４のいずれかに記載の沈胴式のカメラ用レンズ鏡胴。
【請求項６】
前記第１筒部材内には、第３レンズ群が、モータによって光軸方向へ移動可能に配置されていることを特徴とする請求項１乃至４のいずれかに記載の沈胴式のカメラ用レンズ鏡胴。
【発明の詳細な説明】
【技術分野】
【０００１】
本発明は、ズームレンズを備えた沈胴式のカメラ用レンズ鏡胴に関する。
【背景技術】
【０００２】
下記の特許文献１には、第１のモータを回転させることによって、第１レンズ群と第２レンズ群との相対間隔を変えてズーミングを行うようにするとともに、第１レンズ群を収容した筒部材に取り付けられている第２のモータを回転させることによって、第１レンズ群を保持したレンズ枠を該筒部材に対して光軸方向へ移動させ、焦点調節を行うようにしたカメラ用レンズ鏡胴であって、カメラを使用しなくなったときには、第１のモータを回転させることによって、全てのレンズ群を、カメラ本体に一体化されている固定筒内に収容して沈胴状態とするようにしたカメラ用レンズ鏡胴が記載されている。
【０００３】
また、下記の特許文献２には、第１のモータを回転させることによって、第１レンズ群と第２レンズ群との相対的な間隔を変えてズーミングを行うようにするとともに、鏡胴内において鏡胴のベース部材に取り付けられている第２のモータを回転させることによって、第３レンズ群を保持したレンズ枠を光軸方向へ移動させて焦点調節を行うようにしたカメラ用レンズ鏡胴であって、カメラを使用しなくなったときには、第１のモータを回転させることによって、全てのレンズ群を、カメラ本体に一体化されている固定筒内に収容して沈胴状態とするようにしたカメラ用レンズ鏡胴が記載されている。
【０００４】
そして、それらのいずれの鏡胴の場合も、上記の固定筒の内側には回転筒（特許文献２においてはカム筒）が配置されていて、それらの複数のフォロアーピンを固定筒の複数のカム溝に係合させている。そのため、回転筒は、第１のモータによって回転させられたとき、フォロアーピンが固定筒のカム溝に案内されることにより、光軸方向へも移動されるようになっている。また、その回転筒には、２種類の形状のカム溝が複数ずつ形成されていて、一方の種類の複数のカム溝には、第１レンズ群を取り付けている部材の複数のフォロアーピンが係合し、他方の種類の複数のカム溝には、第２レンズ群を取り付けている部材の複数のフォロアーピンが係合している。そのため、回転筒が回転されながら光軸方向へも移動すると、第１レンズ群と第２レンズ群とは、光軸方向へ移動させられながら相対間隔も変化させられ、ズーミングを行うように構成されている。
【０００５】
【特許文献１】特開２００６−３０２９１号公報
【特許文献２】特開２００６−１７９０３号公報
【発明の開示】
【発明が解決しようとする課題】
【０００６】
ところで、最近のカメラは、非常に薄型化されてきているため、沈胴式のレンズ鏡胴の場合には、鏡胴を構成している複数の筒部材をカメラ本体内に好適に収容できるようにするために、光軸方向の寸法を極力小さくすることが要求されている。ところが、上記のような回転筒の場合は、特許文献２の図６に示されている回転筒（カム筒３０）からも分かるように、２種類のカム溝を光軸に沿って配列する必要があることから、どうしても小さくすることができない。そのため、他の筒部材については何とか小さくすることができたとしても、鏡胴全体としては、カメラの薄型化に対応できるようにするのが難しいという問題点がある。
【０００７】
本発明は、このような問題点を解決するためになされたものであり、その目的とするところは、第１レンズ群と第２レンズ群によってズーミングを行うようにした沈胴式のカメラ用レンズ鏡胴において、従来は同じ回転筒に形成されていた２種類のカム溝を、別々の回転筒に形成することにより、沈胴時における光軸方向の全体寸法を小さくし得るようにした沈胴式のカメラ用レンズ鏡胴を提供することである。
【課題を解決するための手段】
【０００８】
上記の目的を達成するために、本発明の沈胴式のカメラ用レンズ鏡胴は、複数のカム溝を有していてカメラ本体に一体化される第１筒部材と、複数のカム溝と前記第１筒部材の複数のカム溝に係合させた複数のフォロアーピンとを有していて前記第１筒部材の内側に配置されており駆動手段によって回転させられたとき光軸方向へも移動させられる第２筒部材と、複数のカム溝を有していて前記第２筒部材の内側に配置されており前記第２筒部材の回転によって光軸方向へだけ移動させられる第３筒部材と、複数のカム溝と前記第３筒部材の複数のカム溝に係合させた複数のフォロアーピンとを有していて前記第３筒部材の内側に配置されており前記第２筒部材によって回転させられとき光軸方向へも移動させられる第４筒部材と、前記第４筒部材の内側に配置されていて前記第４筒部材の回転によって光軸方向へだけ移動させられる第５筒部材と、第１レンズ群を取り付けていると共に前記第４筒部材の複数のカム溝に係合させた複数のフォロアーピンを有していて前記第５筒部材の内側に配置されており前記第４筒部材の回転によって光軸方向へだけ移動させられる第６筒部材と、第２レンズ群を取り付けていると共に前記第２筒部材の複数のカム溝に係合させた複数のフォロアーピンを有していて前記第２筒部材の回転によって光軸方向へだけ移動させられる枠体部材と、を備えているようにする。
【０００９】
また、上記の目的を達成するために、本発明の沈胴式のカメラ用レンズ鏡胴は、より具体的には；複数のカム溝と、複数のキー溝とを有していて、カメラ本体に対して一体化される第１筒部材と；複数のカム溝と、複数のキー溝と、前記第１筒部材の複数のカム溝に係合させた複数のフォロアーピンとを有していて、前記第１筒部材の内側に配置されており、駆動手段によって回転させられたとき光軸方向へも移動させられる第２筒部材と；複数のカム溝と、複数の第１キー溝と、複数の第２キー溝と、前記第１筒部材のキー溝に係合させた複数のキーとを有していて、前記第２筒部材の内側に配置されており、前記第２筒部材の回転によって光軸方向へだけ移動させられる第３筒部材と；複数のカム溝と、前記第３筒部材の複数のカム溝と前記第２筒部材の複数のキー溝の両方に係合させた複数のフォロアーピンとを有していて、前記第３筒部材の内側に配置されており、前記第２筒部材によって回転させられとき光軸方向へも移動させられる第４筒部材と；複数のキー溝と、前記第３筒部材の複数の第１キーに係合させた複数のキーとを有していて、前記第４筒部材の内側に配置されており、前記第４筒部材の回転によって光軸方向へだけ移動させられる第５筒部材と；第１レンズ群を取り付けていると共に、前記第５筒部材の複数のキー溝と前記第４筒部材の複数のカム溝の両方に係合させた複数のフォロアーピンを有していて、前記第５筒部材の内側に配置されており、前記第４筒部材の回転によって光軸方向へだけ移動させられる第６筒部材と；第２レンズ群を取り付けていると共に、前記第３筒部材の複数の第２キー溝と前記第２筒部材の複数のカム溝の両方に係合させた複数のフォロアーピンを有していて、前記第３筒部材の内側に配置されており、前記第２筒部材の回転によって光軸方向へだけ移動させられる枠体部材と；を備えているようにするのがよい。
【００１０】
その場合、前記第４筒部材は、相互に一体的に組み付けられた外筒部材と内筒部材とで構成されていて、該外筒部材は、前記第３筒部材の複数のカム溝と前記第２筒部材の複数のキー溝との両方に係合させる前記複数のフォロアーピンを有していて、該内筒部材は、前記第６筒部材の前記複数のフォロアーピンが係合する前記複数のカム溝を有しており、該内筒部材の複数のカム溝は、光軸と直交する内壁面を有する貫通溝として形成され、前記第６筒部材の前記複数のフォロアーピンは、円柱形をしているようにすると、衝撃に強い構成となる。また、前記第６筒部材と前記枠体部材とは、少なくとも一つのばね部材によって、光軸上で相反する方向へ付勢されていると、二つのレンズ群の相互間隔が安定して得られる。
【００１１】
また、焦点調節を行えるようにするために、前記第６筒部材には、モータが取り付けられており、前記第１レンズ群は、該モータによって、前記第６筒部材に対して光軸方向へ移動可能に取り付けられているようにしてもよいし、前記第１筒部材内には、第３レンズ群が、モータによって光軸方向へ移動可能に配置されているようにしてもよい。
【発明の効果】
【００１２】
本発明は、第１レンズ群と第２レンズ群との間隔を相対的に変えてズーミングを行うようにした沈胴式のカメラ用レンズ鏡胴において、第１レンズ群を取り付けている部材を光軸方向へ移動させるためのカム溝と、第２レンズ群を取り付けている部材を光軸方向へ移動させるためのカム溝とを、回転しながら光軸方向へも移動させられる別々の筒部材に形成するようにしたから、沈胴時における光軸方向の全体寸法を小さくし得るという利点を有している。
【発明を実施するための最良の形態】
【００１３】
本発明の実施の形態を、図示した実施例によって説明する。本発明の沈胴式のカメラ用レンズ鏡胴は、銀塩フィルムを使用するカメラにもデジタルカメラにも採用することが可能であるが、実施例は、デジタルカメラに採用されるものとして構成されたものである。そして、図１は、沈胴状態（カメラの不使用状態）を示した断面図であり、図２は、二つのレンズ群が広角端撮影位置にあるときの状態を示した断面図であり、図３は、二つのレンズ群が望遠端撮影位置にあるときの状態を示した断面図である。また、図４及び図５は、実施例を構成している複数の筒部材を展開して内側から見た図であり、図４（ａ）は固定筒を、図４（ｂ）は第１回転筒を、図４（ｃ）は第１キー筒を、図５（ａ）は第２回転筒を、図５（ｂ）は第２キー筒を、図５（ｃ）は直進筒を示したものである。尚、図１〜図３の断面図は、全く同じ箇所を切断して示したものではなく、少ない図面で全体の構成を理解し易くするために、便宜的に、異なる箇所で切断して示したものである。また、図４及び図５においては、右側が撮像装置側であり、左側が被写体側である。
【実施例】
【００１４】
本実施例は、特許文献１に記載されているような、第１レンズ群が焦点調節用のレンズを兼ねるタイプの沈胴式のレンズ鏡胴である。そこで先ず、本実施例の構成を説明する。図１〜図３に示されているベース部材１は、カメラボディーに直接取り付けられる部材であって、その略中央部には撮像装置２を取り付けている。この撮像装置２は、周知のように、ＣＣＤなどの固体撮像素子を備えていて、その被写体側には、ローパスフィルタなどのフィルタ板や、透明なカバー板などを配置している。また、ベース部材１には、図示していない手段によって固定筒３が一体的に取り付けられており、その内部において、図１に示されているセンサ４が、ベース部材１に取り付けられている。尚、図１から分かるように、このセンサ４は、フォトインターラプタである。
【００１５】
図３に示されているように、固定筒３の外側には張出部３ａが設けられていて、その張出部３ａとベース部材１とによって歯車５を回転可能に取り付けている。そして、歯車５は、その外周に形成された歯を、光軸と平行に形成された固定筒３の長孔から内部に挿入している。また、図示していないが、固定筒３の外側で、ベース部材１にはモータが取り付けられており、歯車５は、そのモータによって減速歯車を介して往復回転させられるようになっている。このように、本実施例の場合は、固定筒３が、そのモータやベース部材１などと共にユニット化されているが、本発明は、このような構成に限定されず、例えば、モータや減速歯車をカメラボディー側の部材に取り付けるようにしたり、ベース部材１をカメラボディー側の部材とするようにしても構わない。
【００１６】
また、図４（ａ）に示されているように、固定筒３には、周知のように、等間隔の角度位置に、後述の第１回転筒６が上記の図示していないモータによって回転させられたとき、光軸方向へも移動することを可能にするために、同一形状をした三つのカム溝３ｂが、貫通溝として形成されている。更に、固定筒３の内周面には、後述の第１回転筒６が回転しながら光軸方向へも移動するとき、後述の第１キー筒８が第１回転筒６と光軸方向へだけ一緒に移動するようにするために、光軸と平行な三つのキー溝３ｃが、貫通していない有底溝として、カム溝３ｂとは干渉しない角度位置に形成されている。
【００１７】
固定筒３の内側には、合成樹脂製の第１回転筒６が配置されている。この第１回転筒６は、図３から分かるように、撮像装置２側の端部に、所定の角度範囲にわたって、平歯の部分歯車６ａを有しており、その部分歯車６ａを上記の歯車５に噛合させている。また、図４（ｂ）に示されているように、第１回転筒６の外周面には、等間隔の角度位置に三つのフォロアーピン６ｂが設けられており、図２から分かるように、固定筒３のカム溝３ｂに係合している。そのため、この第１回転筒６は、上記した図示していないモータによって、歯車５を介して回転させられると、固定筒３のカム溝３ｂに案内されて、光軸方向へも移動するようになっている。
【００１８】
また、この第１回転筒６には、図４（ｂ）においては図示を省略されているが、図１に示されているように、撮像装置２側の端に遮光片６ｃが設けられていて、上記のセンサ４によって、第１回転筒６が図１の状態（沈胴状態）にあることを検出できるようになっている。更に、この第１回転筒６には、図４（ｂ）に示されているように、等間隔の角度位置に、三つのカム溝６ｄと、三つのキー溝６ｅと、三つの案内溝６ｆとが、夫々有底溝として形成されているほか、被写体側（図の左側）となる縁に沿って、他の領域より薄い肉薄部６ｇが形成されている。そして、この第１回転筒６には、図１〜図３に示されているように、被写体側の端に化粧環７が取り付けられている。
【００１９】
第１回転筒６の内側には、第１キー筒８が配置されている。この第１キー筒８は、図４（ｃ）に示されているように、等間隔の角度位置に、三つのカム溝８ａと、各々三つの２種類のキー溝８ｂ，８ｃとを有している。それらのうち、カム溝８ａとキー溝８ｃは貫通溝であるが、キー溝８ｂは有底溝である。また、この第１キー筒８の撮像装置２側（図の右側）の端には、等間隔の角度位置に三つのキー８ｄが形成されており、被写体側の端には、等間隔の角度位置に三つのフック部８ｅが形成されている。
【００２０】
そして、この第１キー筒８は、そのフック部８ｅを、撮像装置２側から、第１回転筒６の案内溝６ｆに案内させて、肉薄部６ｇまで挿入し、第１回転筒６に対して回転させることによって組み付けられている。また、キー８ｄの方は、図１及び図２から分かるように、上記の固定筒３のキー溝３ｃに係合させられている。そのため、この第１キー筒８は、光軸方向へは第１回転筒６と共に移動可能であるが、回転はしないようになっている。尚、組立後においては、第１回転筒６が第１キー筒８に対して所定の角度範囲で回転させられることになるが、フック部８ｅは、その角度範囲外にあって、案内溝６ｆがフック部８ｅの位置に一致することがないようにされている。
【００２１】
第１キー筒８の内側には、合成樹脂製の第２回転筒９が配置されている。この第２回転筒９は、図５（ａ）に示されているように、外周面の等角度間隔位置に三つのフォロアーピン９ａを有しており、そのフォロアーピン９ａは、図２から分かるように、第１キー筒８のカム溝８ａを貫通し、第１回転筒６のキー溝６ｅに係合している。そのため、この第２回転筒９は、第１回転筒６が回転すると一緒に回転させられることになるが、光軸方向へは、第１キー筒８のカム溝８ａによって、独自の移動をさせられるようになっている。
【００２２】
この第２回転筒９には、図５（ａ）に示されているように、等間隔の角度位置に、三つのカム溝９ｂと、それらに連設された三つの案内溝９ｃとが形成されているほか、被写体側となる縁に沿って、他の領域より薄い肉薄部９ｄが形成されている。また、カム溝９ｂと案内溝９ｃは、いずれも有底溝であるが、カム溝９ｂの方が案内溝９ｃよりも深く形成されている。そして、図１〜図３に示されているように、この第２回転筒９には、被写体側の端に化粧環１０が取り付けられている。
【００２３】
第２回転筒９の内側には、第２キー筒１１が配置されている。この第２キー筒１１は、図５（ｂ）に示されているように、等間隔の角度位置に、三つのキー溝１１ａを貫通溝として形成している。また、この第２キー筒１１の撮像装置２側の端には、等間隔の角度位置に三つのキー１１ｂと三つの逃げ部１１ｃ溝が形成されており、被写体側の端には、等間隔の角度位置に三つのフック部１１ｄが形成されている。
【００２４】
そして、この第２キー筒１１は、そのフック部１１ｄを、撮像装置２側から、先ず、第２回転筒９のカム溝９ｂに入れ、そのカム溝９ｂの形状に沿って案内溝９ｃまで導き、続いて、案内溝９ｃに案内させて肉薄部９ｄまで挿入した後、第２回転筒９に対して回転させることによって組み付けられている。また、キー１１ｂの方は、図３から分かるように、上記の第１キー筒８のキー溝８ｂに係合させられている。そのため、この第２キー筒１１は、光軸方向へは第２回転筒９と共に移動可能であるが、回転することはできないようになっている。尚、組立後においては、第２回転筒９が第２キー筒１１に対して所定の角度範囲で回転させられるが、そのときは、案内溝９ｃの位置がフック部８ｅの位置に一致するところまでは回転しないようになっている。
【００２５】
第２キー筒１１の内側には、直進筒１２が配置されている。この直進筒１２は、図５（ｃ）に示されているように、外周面の等角度間隔位置に、三つのフォロアーピン１２ａを有しており、撮像装置２側の端には、等角度間隔位置に三つの逃げ部１２ｂを形成している。そして、図２に示されているように、そのフォロアーピン１２ａを、第２キー筒１１のキー溝１１ａと第２回転筒９のカム溝９ｂに係合させている。そのため、この直進筒１２は、第２回転筒９が回転させられると、フォロアーピン１２ａがカム溝９ｂに押されて、光軸方向へだけ移動させられるようになっている。尚、これまで説明した他の筒部材は、比較的単純な筒形状をしていたのに対して、この直進筒１２は、後述するように、複雑な形状をしている。そのため、図５（ｃ）においては、被写体側を破断して示してある。
【００２６】
そこで次に、直進筒１２のその他の構成と、直進筒１２に取り付けられている構成部材を、図１〜図３を用いて説明する。先ず、直進筒１２は、合成樹脂製であって、被写体側に、撮影光路用の開口部を形成した壁部１２ｃを有していて、その壁部１２ｃの被写体側には、撮影光路用の開口部を有する前板１３を取り付け、それらの間に、図示していないバリア板を配置するようになっている。そして、その前板１３の取付部を覆うようにして化粧環１４が取り付けられている。また、壁部１２ｃの撮像装置２側には、所定の間隔を空け、図示していない手段によって、モータ取付板１５が取り付けられており、そのモータ取付板１５の撮像装置２側には、ステップモータが取り付けられ、その出力軸に取り付けられた歯車が、壁部１２ｃとモータ取付板１５との間に配置されているが、それらの構成は、本発明とは直接関係がないので、それらのうちモータ取付板１５の一部だけを、図２及び図３に示してある。
【００２７】
図３においてだけ示されているリードスクリュー１６は、周知のように雄ねじ部１６ａを有している。そして、このリードスクリュー１６は、一端の軸部を、壁部１２ｃの孔に嵌合させ、他端の軸部を、上記のステップモータと一体の図示していない部材に支持されて、回転可能に取り付けられている。また、このリードスクリュー１６には歯車１７が取り付けられていて、上記のステップモータの出力軸に取り付けられた図示していない歯車に噛合している。そのため、このリードスクリュー１６は、そのステップモータの回転によって、往復回転させられるようになっている。
【００２８】
第１レンズ群１８を取り付けているレンズ枠１９は、壁部１２ｃに取り付けられた案内筒２０に嵌合していて、図２に示されている被取付部１９ａと、図３に示されている被取付部１９ｂとを有している。そして、被取付部１９ａには孔が形成されていて、図２に示されているように、その孔を、一端を壁部１２ｃに取り付けられた案内軸２１に嵌合させている。尚、図２においては、被取付部１９ａと案内軸２１とが一つずつしか示されていないが、実際には、もう一つずつ備えられている。他方、被取付部１９ｂの方は、図３に示されているように、ナット部材２２を着脱可能に挟持している。そして、そのナット部材２２の雌ねじ部を、リードスクリュー１６の雄ねじ部１６ａに螺合させている。そのため、レンズ枠１９は、リードスクリュー１６が回転すると、案内筒２０と案内軸２１に案内されて、光軸方向へ移動させられるようになっている。
【００２９】
第１キー筒８の内側には、枠体部材２３が配置されている。そして、その枠体部材２３には、第２レンズ群２４を取り付けたレンズ枠２５とシャッタ装置とが取り付けられている。そのうち、シャッタ装置については、具体的な構成を示していないが、枠体部材２３の撮像装置２側にシャッタ羽根や絞り羽根が取り付けられ、被写体側にそれらの駆動手段が取り付けられている。また、この枠体部材２３は、外周面の等角度間隔位置に三つのフォロアーピン２３ａを有しており、そのフォロアーピン２３ａは、第１キー筒８のキー溝８ｃを貫通し、第１回転筒６のカム溝６ｄに係合している。そのため、この枠体部材２３は、第１回転筒６が回転すると、フォロアーピン２３ａがカム溝６ｄに押されて、光軸方向へだけ移動させられるようになっている。図５（ｂ）に示されている第２キー筒１１の逃げ部１１ｃと、図５（ｃ）に示されている直進筒１２の逃げ部１２ｂは、図１に示されている沈胴状態になるときに、このフォロアーピン２３ａとの干渉を避けるために形成されているものである。
【００３０】
そして、この枠体部材２３と直進筒１２との間には二つのばねが張られていて、両者を相互に引き寄せるように付勢している。図２及び図３には、それらの二つのばね２６，２７が示されているが、一方のばね２６は、枠体部材２３と、直進筒１２に設けられたばね掛け部１２ｄとの間に掛けられ、他方のばね２７は、上記のモータ取付板１５との間に掛けられている。このようなばね２６，２７は、第１レンズ群１８と第２レンズ群２４との間隔が安定して得られるようにするためのものであるから、光軸上で両者を相反する方向へ付勢するものであれば、本実施例のような引っ張りばねに限らず、圧縮ばねに代えてもよい。そして、そのようにする場合は、光軸を中心にして巻かれた大きな一つの圧縮ばねを用いるのが好ましい。
【００３１】
次に、本実施例の作動を説明する。本実施例は、上記したように、焦点調節に際しては、一番被写体側に配置されている第１レンズ群を移動させるようにした、ズーム機能を備えている沈胴式のレンズ鏡胴である。そして、カメラを使用していないときには、図１に示されているように、上記の二つの回転筒６，９と、二つのキー筒８，１１と、直進筒１２とは、撮像装置２側へ繰り込まれて、固定筒３内に収容されており、いわゆる沈胴状態となっている。また、その沈胴状態においては、直進筒１２の壁部１２ｃと前板１３との間に配置されている図示していない複数枚のバリア板が、第１レンズ群１８の前面を覆っている。
【００３２】
このような沈胴状態においてカメラの電源をオンにすると、図示していないモータが回転して、図３に示されている歯車５を回転させる。そのため、第１回転筒６は回転させられるが、フォロアーピン６ｂが固定筒３のカム溝３ｂに案内されるので、被写体側へも移動させられていく。それにより、第１キー筒８はフック部８ｅを第１回転筒６に押されて被写体側へ直進させられ、第２回転筒９はフォロアーピン９ａがキー溝６ｅに押されて回転させられることになるが、第２回転筒９の方は、フォロアーピン９ａが第１キー筒８のカム溝８ａに案内されるので、第１回転筒６と第１キー筒８よりも速く、被写体側へも移動させられる。また、このとき、枠体部材２３も、フォロアーピン２３ａが第１回転筒６のカム溝６ｄに案内されることによって、被写体側へ直進させられる。
【００３３】
そして、第２回転筒９が回転しながら被写体側へ移動すると、第２キー筒１１もフック部１１ｄを押されて被写体側へ直進させられるが、直進筒１２は、フォロアーピン１２ａが第２回転筒９のカム溝９ｂに案内されるので、第２回転筒９と第２キー筒１１よりも速く被写体側へ直進させられていく。更に、このようにして、直進筒１２に取り付けられている第１レンズ群１８と枠体部材２３に取り付けられている第２レンズ群２４が繰り出されていく過程において、上記の図示していない複数のバリア板が開き作動を行い、第１レンズ群１８の前面から退いて行く。そして、そのような繰り出し作動の終了した状態が、図２に示された初期状態（撮影待機状態）であり、本実施例の場合には、この初期状態が広角端での撮影可能状態である。
【００３４】
このようにして繰り出し作動が終了した後、撮影者が、この状態での撮影を望まないときは、ファインダを見ながら図示していないモータによって第１回転筒６を正・逆転させ、直進筒１２と枠体部材２３とを光軸方向に移動させてズーミングを行い、第１レンズ群１８と第２レンズ群２４との相対位置関係を変える。図３は、そのようにして選択された場合の一例として望遠端での撮影可能状態を示したものである。このようにして、所望の倍率の画角が決まった後、レリーズボタンを押すと、先ず、焦点調節が自動的に行われ、続いて、撮像装置４２による撮影が行われる。
【００３５】
尚、本実施例の場合、焦点調節は、モータ取付板１５に取り付けられている図示していないステップモータを回転させることによって行われる。即ち、図示していないステップモータが回転すると、その回転は出力軸に取り付けられている図示していない歯車から歯車１７に伝達され、リードスクリュー１６を回転させる。それにより、ナット部材２２がリードスクリュー１６の軸方向へ移動させられるので、レンズ枠１９は、リードスクリュー１６の回転方向に対応した方向へ、案内軸２１に案内されながら移動させられ、合焦位置で停止させられるようになっている。しかしながら、本発明は、特許文献２に記載されているように、第３レンズ群によって焦点調節するようにしても構わない。
【００３６】
このようにして、撮影が繰り返して行われ、もはや撮影をする意志のない場合には、カメラの電源スイッチをオフにするが、そのようにした場合でも遅延回路が働いていて、所定時間だけはオン状態が継続し、図示していないモータを回転させ得るようになっている。そのため、電源スイッチがオフになると、そのモータが第１回転筒６を回転させることによって、各筒部材６，８，９，１１，１２と枠体部材２３を一旦図２の状態にさせ、その後、上記の繰り出し作動とは逆に作動させていくことになる。また、それに伴って、図示していないバリア板が閉じていく。そして、その作動は、センサ４が、第１回転筒６の遮光片６ｃを検出することによって停止する。その状態が、図１に示された沈胴状態である。
【００３７】
尚、本実施例の場合は、第２回転筒９に形成されているカム溝９ｂが、貫通していない有底溝として形成されている。その理由は、図２から分かるように、貫通溝として形成すると、外部にカム溝９ｂが露出してしまうからである。そのため、本実施例の場合には、第２回転筒９が合成樹脂製であることから、フォロアーピン１２ａが摺接するカム溝９ｂの内壁面を光軸に対して直交する面に加工することができず、斜面として形成している。また、それに伴って、フォロアーピン１２ａの方も円錐台計に形成されている。ところが、このように構成されていると、好ましくない場合がある。
【００３８】
即ち、本実施例のレンズ鏡胴を備えているカメラを、携帯中に落としたり、卓上などから落としたりすると、レンズ鏡胴の構成部材に対して光軸方向に大きな衝撃が加わることがある。特に、沈胴状態からレンズ群を繰り出した状態で携帯しているとき、直進筒１２に取り付けられた前板１３を他の物体にぶつけた場合などには、直進筒１２に対して、撮像装置２側へ強い力が加わるので、その力によって直進筒１２が傾かされ、フォロアーピン１２ａがカム溝９ｂから外れてしまうことがあるからである。
【００３９】
そのような現象が生じないようにするためには、本実施例の第２回転筒９を、外筒と内筒の２部材として製作し、外筒にはフォロアーピン９ａを設け、内筒にはカム溝９ｂを形成し、組立に際して、それらの筒部材を一体的な嵌合状態にすればよい。そのようにすれば、外筒によってカム溝９ｂが露出しないようになるし、内筒の製作段階で、カム溝９ｂを貫通溝にして、その内壁面を光軸に対して直交する面に加工することができる。そして、そのカム溝９ｂに摺接する直進筒１２のフォロアーピン１２ａを円柱形にすれば、上記のような強い力が加わっても、フォロアーピン１２ａはカム溝９ｂから外れなくなる。従って、そのように構成したものも本発明に含まれる。
【図面の簡単な説明】
【００４０】
【図１】沈胴状態（カメラの不使用状態）を示した実施例の断面図である。
【図２】二つのレンズ群が広角端撮影位置にあるときの状態を示した実施例の断面図である。
【図３】二つのレンズ群が望遠端撮影位置にあるときの状態を示した実施例の断面図である。
【図４】実施例の筒部材を展開して内側から見た図であり、図４（ａ）は固定筒を、図４（ｂ）は第１回転筒を、図４（ｃ）は第１キー筒を示したものである。
【図５】実施例の筒部材を展開して内側から見た図であり、図５（ａ）は第２回転筒を、図５（ｂ）は第２キー筒を、図５（ｃ）は直進筒を示したものである。
【符号の説明】
【００４１】
１                              ベース部材
２                              撮像装置
３                              固定筒
３ａ                            張出部
３ｂ，６ｄ，８ａ，９ｂ          カム溝
３ｃ，６ｅ，８ｂ，８ｃ，１１ａ  キー溝
４                              センサ
５，１７                        歯車
６                              第１回転筒
６ａ                            部分歯車
６ｂ，９ａ，１２ａ，２３ａ      フォロアーピン
６ｃ                            遮光片
６ｆ，９ｃ                      案内溝
６ｇ，９ｄ                      肉薄部
７，１０，１４                  化粧環
８                              第１キー筒
８ｄ，１１ｂ                    キー
８ｅ，１１ｄ                    フック部
９                              第２回転筒
１１                            第２キー筒
１１ｃ，１２ｂ                  逃げ部
１２                            直進筒
１２ｃ                          壁部
１２ｄ                          ばね掛け部
１３                            前板
１５                            モータ取付板
１６                            リードスクリュー
１６ａ                          雄ねじ部
１８                            第１レンズ群
１９，２５                      レンズ枠
１９ａ，１９ｂ                  被取付部
２０                            案内筒
２１                            案内軸
２２                            ナット部材
２３                            枠体部材
２４                            第２レンズ群
２６，２７                      ばね
【図１】
2009244613.tif 000003
【図２】
2009244613.tif 000004
【図３】
2009244613.tif 000005
【図４】
2009244613.tif 000006
【図５】
2009244613.tif 000007